(57)【要約】      （修正有）【課題】使用者及び施工者の使い勝手を向上することができる防水性リモコン装置を提供する。【解決手段】トイレブース内の壁面に設置される防水性リモコン装置１であって、使用者からの入力を判定する入力ユニット１６と、便器洗浄装置に洗浄命令を送信する送信ユニットを有する制御ユニット８と、使用者と相対する前面をカバーするように形成された前面カバー部材１２と、トイレブース内の壁面に固定される壁面固定部材６を有し、前面カバー部材１２は、制御ユニット８を自身に取り付けた状態で壁面固定部材６に着脱自在に取付けられ、且つ壁面固定部材６と嵌合して防水構造を形成する。【選択図】図２
2014070417.tif 000002
【特許請求の範囲】
【請求項１】
トイレブース内の壁面に設置される防水性リモコン装置であって、
使用者からの入力を判定する入力ユニットと、
洗浄装置に洗浄命令を送信する送信ユニットと、を有する制御ユニットと、
使用者と相対する前面をカバーするように形成された前面部材と
トイレブース内の壁面に固定される壁面固定部材と、を有し、
前記前面部材は、前記制御ユニットを自身に取り付けた状態で前記壁面固定部材に着脱自在に取付けられ、且つ前記壁面固定部材と嵌合して防水構造を形成することを特徴とする防水性リモコン装置。
【請求項２】
さらに、前記制御ユニットを保護する保護カバーを備え、この保護カバーが前記前面部材に取り付けられている、請求項１に記載の防水性リモコン装置。
【請求項３】
前記制御ユニットは、前記制御ユニットへ電力を供給する電池を備えている、請求項２に記載の防水性リモコン装置。
【請求項４】
前記前面部材は、壁面固定部材の前面側に配置された前面壁と、この前面壁の頂部からほぼ水平方向後方へ張り出した頂面壁と、この頂面壁の後端部から、トイレブース内の壁面と前記壁面固定部材の頂部との間を垂下する後端垂下壁を有する、請求項１乃至３の何れか１項に記載の防水性リモコン装置。
【請求項５】
前記前面部材及び前記壁面固定部材は、前記前面部材と壁面固定部材とが嵌合して防水構造を形成するとき、前記壁面固定部材と前記後端垂下壁との間の幅が比較的狭く形成された幅狭部と、前記壁面固定部材と前記後端垂下壁との間の幅が前記幅狭部より広く形成された幅広部と、を形成する、請求項４に記載の防水性リモコン装置。
【請求項６】
前記前面部材は、前記壁面固定部材に取り付けられた状態で、前記前面部材の底面から両者をネジ止めして固定する、請求項１乃至５の何れか１項に記載の防水性リモコン装置。
【請求項７】
前記送信ユニットは、電波を送信する電波送信ユニットであって、前記入力ユニットより上方に、前記電波送信ユニットが取り付けられている、請求項１乃至６の何れか１項に記載の防水性リモコン装置。
【発明の詳細な説明】
【技術分野】
【０００１】
本発明は、防水性リモコン装置に係り、特に、トイレブース内の壁面に設置される防水性リモコン装置に関する。
【背景技術】
【０００２】
従来から、壁面に設置されるリモコン装置として、壁埋め込み式の有線式リモコン装置の他に、特許文献１に示すように、壁面に取付けられたベースと、ベースに結合されるプレートカバーと、発光素子を有する送信回路とを備えたワイヤレススイッチリモコンが知られている。
パブリックトイレで使用されるリモコン装置には、清掃作業等のため防水性が要求される。従来、パブリックトイレで使用される防水性リモコン装置としては、住宅と違い使用頻度が高いので電池切れによる感知不良を回避するためにトイレブース内の壁面に設置される壁埋め込み式の有線式リモコンが知られ、また、一般的にリモコン装置に用いられる赤外線送信装置を使用した赤外線式リモコンがパブリックの使用頻度の高さにより電池切れとなりやすいため、消費電力の比較的小さい壁掛け式の電波式無線リモコンが知られている。
【先行技術文献】
【特許文献】
【０００３】
【特許文献１】特開平０３−１０２７９６号公報
【発明の概要】
【発明が解決しようとする課題】
【０００４】
有線式リモコンは、防水性を保ち、信号線を切られるといったイタズラを防止し、及び有線式リモコンの壁面から前に突出している部分にぶつかって怪我をしないようにするために、リモコン本体及び信号配線が壁内に埋め込まれるのが一般的であるが、埋め込んだリモコンの施工及びメンテナンスが面倒となるという問題があり、さらに、有線式リモコンの前出方向の寸法が大きいときには比較的薄い壁に埋め込みができなくなるといった問題があった。
【０００５】
これに対し、壁掛け式の電波式の無線リモコンとして、防水性を有する構造を形成するために、使用者側の前面側の前側防水ケース部材と、リモコン後ろ側の後側防水ケース部材と、前側防水ケース部材と後側防水ケース部材との組合せによって防水リモコンケースを予め組み立てたのちにこの防水リモコンケースを壁に取付けたケースハンガに掛けることにより設置されるリモコンが知られている。
このような電波式の無線リモコンにおいては、電池交換等がしやすい構造が必要であるために、ケースハンガから取り外しできるリモコンケースが必要であった。
【０００６】
しかしながら、上記のような電波式無線リモコンは、前側防水ケース部材と後側防水ケース部材とを組合せて防水構造を形成する防水リモコンケースを、さらにケースハンガに取付けて形成するので、リモコンを取付けたときの前出寸法が比較的大きくなってしまい、リモコンの前出寸法が比較的大きくなることにより、壁面から前方に突出したリモコンで怪我をしてしまうという問題が生じている。
【０００７】
そこで、本発明は、上述した従来技術の問題点を解決するためになされたものであり、前面部材が壁面固定部材と嵌合して防水構造を形成する防水性リモコン装置の前出寸法を抑制し、使用者の使い勝手を向上することができ、且つ、施工者が簡単にメンテナンスを行うことができ、使用者及び施工者の使い勝手を向上することができる防水性リモコン装置を提供することを目的としている。
【課題を解決するための手段】
【０００８】
上記の目的を達成するために、本発明は、トイレブース内の壁面に設置される防水性リモコン装置であって、使用者からの入力を判定する入力ユニットと、洗浄装置に洗浄命令を送信する送信ユニットと、を有する制御ユニットと、使用者と相対する前面をカバーするように形成された前面部材とトイレブース内の壁面に固定される壁面固定部材と、を有し、前面部材は、制御ユニットを自身に取り付けた状態で壁面固定部材に着脱自在に取付けられ、且つ壁面固定部材と嵌合して防水構造を形成することを特徴としている。
このように構成された本発明においては、前面部材が壁面固定部材と嵌合して防水構造を形成する防水性リモコン装置の前出寸法を抑制することができ、使用者が防水性リモコン装置により怪我をする危険性を抑制して、使用者の使い勝手を向上することができる。
例えば、また、前面部材は、制御ユニットを自身に取り付けた状態で壁面固定部材に着脱自在に取付けられるので、前面部材及びこれに取り付けられた制御ユニットを壁面固定部材から取り外すことによって、制御ユニットが手元側に来ることになり、施工者が簡単にメンテナンスを行うことができ、施工者の使い勝手を向上することができる。
【０００９】
本発明において、好ましくは、さらに、制御ユニットを保護する保護カバーを備え、この保護カバーが前面部材に取り付けられている。
このように構成された本発明においては、保護カバーが制御ユニットを保護することができ、前面部材及びこれに取り付けられた制御ユニットを壁面固定部材から取り外すことによって、制御ユニットが手元側に来る場合に、使用者及び施工者が、制御ユニットを誤操作すること、及び不注意で制御ユニットの例えば基板に触れること及び水滴を付着させることによる故障を生じさせことを防ぎ、適切なメンテナンス作業を行うことができ、使用者及び施工者の使い勝手を向上することができる。
【００１０】
本発明において、好ましくは、制御ユニットは、制御ユニットへ電力を供給する電池を備えている。
このように構成された本発明においては、前面部材が、制御ユニットを自身に取り付けた状態で壁面固定部材に着脱自在に取付けられるので、前面部材及びこれに取り付けられた制御ユニットを壁面固定部材から取り外すことによって、電池を備えた制御ユニットが手元側に来ることになり、使用者及び施工者が簡単に電池の交換を行うことができ、使用者及び施工者の使い勝手を向上することができる。
【００１１】
本発明において、好ましくは、前面部材は、壁面固定部材の前面側に配置された前面壁と、この前面壁の頂部からほぼ水平方向後方へ張り出した頂面壁と、この頂面壁の後端部から、トイレブース内の壁面と壁面固定部材の頂部との間を垂下する後端垂下壁を有する。
このように構成された本発明においては、前面部材が、壁面固定部材の頂部を、前面側に形成された前面壁と、この前面壁の頂部からほぼ水平方向後方へ張り出した頂面壁と、この頂面壁の後端部から壁面と壁面固定部材の頂部との間を垂下する後端垂下壁で覆うことによって、前面部材が壁面固定部材を上方から覆うように嵌合して防水しやすい構造を形成することができ、使用者及び施工者の使い勝手を向上することができる。
【００１２】
本発明において、好ましくは、前面部材及び壁面固定部材は、前面部材と壁面固定部材とが嵌合して防水構造を形成するとき、壁面固定部材と後端垂下壁との間の幅が比較的狭く形成された幅狭部と、壁面固定部材と後端垂下壁との間の幅が幅狭部より広く形成された幅広部と、を形成する。
このように構成された本発明においては、前面部材と壁面固定部材とが嵌合するとき、壁面固定部材と後端垂下壁との間の幅が比較的狭く形成された幅狭部が、前面部材と壁面固定部材との嵌合を位置決めすることができ、壁面固定部材と後端垂下壁との間の幅が前記幅狭部より広く形成された幅広部が、壁面固定部材と後端垂下壁との間に幅狭部より広い空間を形成することによって、水が壁面から内部へ毛細管現象によって侵入することを抑制することができるので、より高い防水性能を有する防水性リモコン装置を提供することができ、使用者及び施工者の使い勝手を向上することができる。
【００１３】
本発明において、好ましくは、前面部材は、壁面固定部材に取り付けられた状態で、前面部材の底面から両者をネジ止めして固定する。
このように構成された本発明においては、前面部材を前面部材の底面から壁面固定部材にネジ止めして固定することによって、確実に両者を固定することができると同時に、パブリック空間での防水性リモコン装置自身、前面部材及び前面部材によりカバーされている内部部品等の盗難を抑制することができる。
例えば、また、前面部材がその底面からネジ止めされる場合は、その上面からネジ止めされる場合と比較してネジ止めが目立ちにくく、いたずらなどでネジ止めを解除されてしまう可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【００１４】
本発明において、好ましくは、送信ユニットは、電波を送信する電波送信ユニットであって、入力ユニットより上方に、電波送信ユニットが取り付けられている。
このように構成された本発明においては、送信ユニットが電波送信ユニットであるので、送信ユニットが赤外線送信ユニットである場合と比べて、電波送信ユニットを備える制御ユニットにおける消費電力を抑制することができ、制御ユニットに電気を供給する電池の寿命を延ばすことができる。
また、例えば、入力ユニットに手かざし式センサを採用する場合には、手かざし式センサを利用することで防水性リモコン装置に触れることなく便器洗浄を行うことが可能となるが、使用者が入力ユニットの前方に手をかざしている場合でも、電波送信ユニットが入力ユニットの上方に離間して配置されているので、電波の送信を妨げにくくなり、洗浄装置に洗浄命令を安定して送信することができる。
【発明の効果】
【００１５】
本発明の防水性リモコン装置によれば、使用者及び施工者の使い勝手を向上することができる。
【図面の簡単な説明】
【００１６】
【図１】本発明の第１実施形態による手かざし式センサの入力ユニット及び無線式の送信ユニットを備えた防水性リモコン装置をトイレブース内の壁面に設置した状態を示す図である。
【図２】本発明の第１実施形態による手かざし式センサの入力ユニット及び無線式の送信ユニットを備えた防水性リモコン装置を前方斜め上方から見た分解斜視図である。
【図３】本発明の第１実施形態による手かざし式センサの入力ユニット及び無線式の送信ユニットを備えた防水性リモコン装置を後方斜め上方から見た分解斜視図である。
【図４】本発明の第１実施形態による手かざし式センサの入力ユニット及び無線式の送信ユニットを備えた防水性リモコン装置におけるラバー支持部２８の構造部分を示す、図１のIV-IV線に沿って見た部分断面図である。
【図５】本発明の第１実施形態による手かざし式センサの入力ユニット及び無線式の送信ユニットを備えた防水性リモコン装置を前面カバー部材と壁面固定部材とを嵌合した状態で後方斜め上方から見た斜視図である。
【図６】図５のVI-VI線に沿って見た拡大断面図である。
【図７】図５のVII-VII線に沿って見た部分拡大断面図である。
【図８】本発明の第２実施形態による押しボタン式スイッチの入力ユニット及び無線式の送信ユニットを備えた防水性リモコン装置を前方斜め上方から見た分解斜視図である。
【図９】本発明の第２実施形態による押しボタン式スイッチの入力ユニット及び無線式の送信ユニットを備えた防水性リモコン装置を後方斜め上方から見た分解斜視図である。
【図１０】本発明の第２実施形態による押しボタン式スイッチの入力ユニット及び無線式の送信ユニットを備えた防水性リモコン装置における押しボタン部、ラバー支持部及びタクトスイッチを、防水性リモコン装置を完成した状態でこれらの上部部分を拡大して側面断面により示す、部分拡大側面断面図である。
【図１１】本発明の第３実施形態による手かざし式センサの入力ユニット及び有線式の送信ユニットを備えた防水性リモコン装置を前方斜め上方から見た分解斜視図である。
【図１２】本発明の第３実施形態による手かざし式センサの入力ユニット及び有線式の送信ユニットを備えた防水性リモコン装置を後方斜め上方から見た分解斜視図である。
【図１３】本発明の第３実施形態による手かざし式センサの入力ユニット及び有線式の送信ユニットを備えた防水性リモコン装置において、基板、制御ユニット保護カバー及び壁面固定部材を取り外した状態を後方斜め上方から見た斜視図である。
【図１４】本発明の第３実施形態による手かざし式センサの入力ユニット及び有線式の送信ユニットを備えた防水性リモコン装置において、基板、制御ユニット保護カバー及び壁面固定部材を取り外した状態を後方から見た背面図である。
【図１５】本発明の第４実施形態による押しボタン式スイッチの入力ユニット及び有線式の送信ユニットを備えた防水性リモコン装置を前方斜め上方から見た分解斜視図である。
【図１６】本発明の第４実施形態による押しボタン式スイッチの入力ユニット及び有線式の送信ユニットを備えた防水性リモコン装置を後方斜め上方から見た分解斜視図である。
【発明を実施するための形態】
【００１７】
つぎに、添付図面により、本発明の第１実施形態による防水性リモコン装置を説明する。
まず、図１乃至図３により、本発明の第１実施形態による手かざし式センサの入力ユニット及び無線式の送信ユニットを備えた防水性リモコン装置を説明する。
図１は、本発明の第１実施形態による手かざし式センサの入力ユニット及び無線式の送信ユニットを備えた防水性リモコン装置をトイレブース内の壁面に設置した状態を示す図であり、図２は、本発明の第１実施形態による手かざし式センサの入力ユニット及び無線式の送信ユニットを備えた防水性リモコン装置を前方斜め上方から見た分解斜視図であり、図３は、本発明の第１実施形態による手かざし式センサの入力ユニット及び無線式の送信ユニットを備えた防水性リモコン装置を後方斜め上方から見た分解斜視図である。
【００１８】
図１乃至図３に示すように、符号１は防水性リモコン装置を示し、この防水性リモコン装置１は、便器洗浄装置２の設置されたトイレブース３内の壁面４に取付けられる壁面固定部材６と、この防水性リモコン装置１を制御する制御ユニット８と、制御ユニット８を保護する制御ユニット保護カバー１０と、便器洗浄装置２を使用する使用者と相対する側の前面をカバーする前面カバー部材１２と、を備えている。
防水性リモコン装置１は、制御ユニット８を自身の後面側（前面カバー部材の背面側）内部に装着した前面カバー部材１２を、壁面４に予め固定された壁面固定部材６に対し、壁面固定部材６の頂部を覆うように上方から嵌合させて壁面固定部材６の下部までの全体を覆うように嵌合させることによって、一体化された箱形状（直方体形状）に形成されるようになっている。
この防水性リモコン装置１は、単独では十分な防水構造を形成していない前面カバー部材１２を、単独では十分な防水構造を形成せず且つ壁面４に予め直付け固着された壁面固定部材６に対し、嵌合させることにより、良好な防水構造を完成させ、壁面に組みつけられた状態において防水構造を達成している防水性リモコン装置である。
【００１９】
壁面固定部材６は、トイレブース３内の壁面４にねじ留め（図示せず）によって予め取付けられて固定され、壁掛けの防水性リモコン装置１を壁面に掛けるように構成されている。また、壁面固定部材６は、前面カバー部材１２と、嵌合することにより、一体化した壁掛け防水性リモコン装置を形成するように構成されている。
壁面固定部材６は、壁面に沿った平板状の壁面固定板部６ａと、壁面固定板部の上部に形成された背面側受け部６ｂと、この背面側受け部６ｂ近傍から前方にほぼ水平方向に延びる前出頂面部６ｃと、壁面固定板部６ａの底辺から前方にほぼ水平方向に延びる前出底面部６ｄと、壁面固定板部６ａの右側辺から前方に延びる前出右側面部６ｅと、壁面固定板部６ａの左側辺から前方に延びる前出左側面部６ｆとを備えている。
壁面固定板部６ａは、ねじによりトイレブース３内の壁面４にねじ留め固定されるように形成され、電源配線及び信号配線等が壁面４裏の電源等から制御ユニット８まで有線接続される場合に、これらの配線を通すことができるような配線開口６ｋを形成している。
前出底面部６ｄは、前面カバー部材１２の下方側から挿入されるネジ１４によりネジ留め固定されるように形成されている。
【００２０】
制御ユニット８は、使用者の検出信号及び操作信号等の入力を受ける入力ユニット１６と、便器洗浄装置２に洗浄開始命令を送信する送信ユニット１８と、入力ユニット１６及び送信ユニット１８が接続されている基板２０とを備えている。
入力ユニット１６は、使用者の手指等が前方にかざされていることを赤外線を使用して検知する赤外線検知ユニットであり、使用者の手指等を検出するために赤外線を投光する投光部２２と、赤外線を受光する受光部２４と、円板形状に形成され且つ赤外線の光を透過させる透光板２６と、意図する方向に進む赤外線光以外の赤外線光を遮光するようにラバーにより形成されたラバー支持部２８と、を備えている。
【００２１】
ここで、図４により、本発明の第１実施形態による手かざし式センサの入力ユニット及び無線式の送信ユニットを備えた防水性リモコン装置におけるラバー支持部２８の構造を詳細に説明する。
図４は、本発明の第１実施形態による手かざし式センサの入力ユニット及び無線式の送信ユニットを備えた防水性リモコン装置におけるラバー支持部の構造部分を示す、図１のIV-IV線に沿って見た部分断面図である。
ラバー支持部２８は、その上部が透光板２６に接続され、その下部が基板２０に接続され、外周形状がほぼ円形に形成され且つ、基板２０上に筒状に立ち上がるように配置され、その内側領域が複数の領域に区分されて形成されている。例えば、ラバー支持部２８は、投光部２２から透光板２６まで赤外線光を概ね直進させるように投光部２２を収容する投光通路２８ａを形成し、透光板２６から受光部２４まで赤外線光を概ね直進させるように受光部２４を収容する受光通路２８ｂを形成している。従って、ラバー支持部２８は、投光部２２から投光された赤外線の光を、透光板２６を通過させることなく受光部２４で直接受光させないような遮光構造を形成している。また、透光板２６付近から中に侵入しようとする水を、ラバー支持部２８と、前面カバー部材１２との間でシールすることができる。さらに、投光部２２は、基板２０上に配置され、投光部２２とラバー支持部２８との間が防水されるようにシールされるようになっている。ラバー支持部２８によって、防水性の高い構造を有する防水性リモコン装置１を提供することができる。
このように、ラバー支持部２８を、透光板２６と、基板２０の間に設置することにより、遮光と防水を兼ね備えた支持構造を実現することができる。
【００２２】
次に、送信ユニット１８は、洗浄開始信号を無線電波により送信する電波送信装置３０を備える。この電波送信装置３０により発信された無線電波信号を便器洗浄装置２の制御部（図示せず）の受信装置（図示せず）で受信し、便器洗浄を行うようになっている。電波送信装置３０は、消費電力が非常に少ないため、電波送信装置３０の代わりに赤外線光送信装置を採用した場合に必要となる電力を供給する電池の取替え頻度と比べて、電波送信装置３０に必要となる電力を供給する電池３２の取替え頻度を少なくすることができる。また、電波送信装置３０は、電力容量の小さなボタン電池を採用することが可能となり、比較的大きな乾電池や専用の電池を利用する必要がなくなり、防水性リモコン装置１をより薄型化することが可能となる。
電波送信装置３０は、入力ユニット１６よりも上方に所定距離離間して取付けられている。電波送信装置３０が、使用者が手指等を入力ユニット１６前方にかざしているときに、その手指等が電波送信装置３０の前方にかからないような所定距離だけ入力ユニット１６から離間されているので、使用者が手指等を入力ユニット１６前方に（入力ユニット１６が壁面４に取付けられている場合の前側に）かざしているとき、電波送信装置３０から送信される電波が使用者が手指等によって妨げられ、通信に不具合が生じることを抑制することができる。
【００２３】
基板２０は、基板２０上に入力ユニット１６及び送信ユニット１８の各部品等、及び電池３２などを接続した状態で、前面カバー部材１２の後面側空間内に挿入されて取付けられている。防水性リモコン装置１と、便器洗浄装置２及び/又は外部電源（図示せず）等とを有線式の接続方法により接続する場合には、後述するような電源配線及び信号配線等を基板に接続するようになっている。基板２０上には、電池３２が電極上に配置され、電池交換のメンテナンスが必要な場合には、消耗した電池を基板に接続された電極から取り外して新しい電池と取り替えるようになっている。また、電池３２としては比較的サイズの小さなボタン電池を採用している。
【００２４】
制御ユニット保護カバー１０は、制御ユニット８の基板２０に取付けられ、前面カバー部材１２を壁面固定部材６から取り外した際に、前面カバー部材１２に取付けられている基板２０がむき出しになり、誤操作されたり、いたずらされることを防ぐように基板２０を保護している。逆に、制御ユニット保護カバー１０は、施工者等が基板２０のメンテナンス調整等を行うことが必要な部分については切り欠き開口１０ａを形成しており、施工者等がその切り欠き開口１０ａを通して基板２０の調整等を行うことができるようになっている。この制御ユニット保護カバー１０は、制御ユニット８の基板２０とともに、前面カバー部材１２の後面側空間内に挿入されて前面カバー部材１２に取付けられている。
このように、制御ユニット保護カバー１０は、前面カバー部材１２と組合せて防水構造を形成するように設けられた従来の壁面カバー部材部材とは異なる部材である。
【００２５】
次に、図２乃至図７により、本発明の第１実施形態による手かざし式センサの入力ユニット及び無線式の送信ユニットを備えた防水性リモコン装置における前面カバー部材１２の構造についてより詳細に説明する。
図５は、本発明の第１実施形態による手かざし式センサの入力ユニット及び無線式の送信ユニットを備えた防水性リモコン装置を前面カバー部材と壁面固定部材とを嵌合した状態で後方斜め上方から見た斜視図であり、図６は、図５のVI-VI線に沿って見た拡大断面図であり、図７は、図５のVII-VII線に沿って見た部分拡大断面図である。
前面カバー部材１２は、自身の内部に壁面固定部材６、制御ユニット８及び制御ユニット保護カバー１０を収容しながら奥行き寸法（すなわち壁からの前出寸法）をなるべく小さく抑えるような薄型の形状に形成されている。前面カバー部材１２は、自身の内部に壁面固定部材６の大部分を収容できるので、防水性リモコン装置１全体の前出寸法を抑えることができる。
この前面カバー部材１２は、壁面固定部材６全体に対して使用者側の前面を覆う前面覆部１２ａと、壁面固定部材６の前出頂面部６ｃ及び背面側受け部６ｂを覆うようにほぼ水平方向後方に張り出した頂面覆部１２ｂと、前出底面部６ｄを下方から覆うように形成された底面覆部１２ｃと、前出右側面部６ｅを覆う右側面覆部１２ｄと、前出左側面部６ｆを覆う左側面覆部１２ｅとを備えている。
前面覆部１２ａは、ほぼ長方形に形成され、中央近傍に入力ユニット１６のラバー支持部２８を埋め込むことができる円形開口部１２ｆを形成し、頂面覆部１２ｂは、前面覆部１２ａの背面側の頂部辺から後方に水平に突出して形成され、底面覆部１２ｃは、前面覆部１２ａの背面側の底部辺から後方に水平に突出して形成され、右側面覆部１２ｄは、前面覆部１２ａの背面側の右側辺から後方に水平に突出して形成され、左側面覆部１２ｅは、前面覆部１２ａの背面側の左側辺から後方に水平に突出して形成されている。
このように、前面覆部１２ａの背面側の４辺から頂面覆部１２ｂ、底面覆部１２ｃ、右側面覆部１２ｄ及び左側面覆部１２ｅが後方に張り出すように形成されているので、前面カバー部材１２は、背面側に開放する凹形状に形成され、その背面側に基板２０、電池３２及び配線等を取付けることができる取付け空間１２ｇを形成している。従って、この取付け空間１２ｇ内に、壁面固定部材６の壁面固定板部６ａ、前出頂面部６ｃ、前出底面部６ｄ、前出右側面部６ｅ及び前出左側面部６ｆが、外周内側に嵌まり込むように配置できるようになっている。
【００２６】
前面カバー部材１２は、壁面固定部材６に着脱自在に形成されており、前面カバー部材１２が壁面固定部材６の頂部を覆うように上方から嵌合された後、前面カバー部材１２と壁面固定部材６とは、ネジ留め固定される。
先ず、前面カバー部材１２の底面覆部１２ｃは、その中央部近傍において、ネジ固定部１２ｈを形成しており、このネジ固定部１２ｈにおいてネジ１４を下から上に貫通させて壁面固定部材６の前出底面部６ｄとネジ留め固定できるようになっている。底面覆部１２ｃのネジ固定部１２ｈに取り付けられるネジ１４は、防水性リモコン装置１の正面方向、上方向及び/又は左右方向から見えにくく配置されているので、いたずらなどでネジ１４をはずされてしまう可能性を低減でき、また、防水性リモコン装置１のパブリック環境において配置された場合の美観がよくなり、意匠性に優れている。さらに、ネジ１４によって底面の１箇所を固定すればよいので、仮にネジ１４を両側面においてネジ留めする場合のようにネジ留め箇所が２箇所必要になる場合と比べて、取付け者等の施工作業が軽減される。
【００２７】
次に、図５乃至図７により、本発明の第１実施形態による手かざし式センサの入力ユニット及び無線式の送信ユニットを備えた防水性リモコン装置における、前面カバー部材と、壁面固定部材の背面側受け部とを嵌合した状態において形成される防水構造について説明する。
先ず、壁面固定部材６の背面側受け部６ｂ及び前面カバー部材１２の頂面覆部１２ｂについてさらに詳細に説明する。
壁面固定部材６の背面側受け部６ｂには、壁面固定部材６の前出頂面部６ｃと壁面固定板部６ａとの間において、前出頂面部６ｃに接続され且つ前出頂面部６ｃの後方から立ち下がる第１立下り部６ｇと、第１立下り部６ｇから横方向に延びる平坦部６ｈと、平坦部６ｈの後方から立ち下がる第２立下り部６ｉと、第２立下り部６ｉから斜め下方に傾斜して延び且つ壁面固定板部に接続する傾斜部６ｊとが形成されている。
前面カバー部材１２の頂面覆部１２ｂは、ほぼ水平方向に後方に延びる上面壁１２ｉと、この上面壁１２ｉの後端辺から垂下する最も背面側の壁を形成する後端垂下壁１２ｊとを備える。
さらに、後端垂下壁１２ｊは、後端垂下壁１２ｊの左右両端近傍に前面カバー部材１２を壁面固定部材６上に嵌合するように位置決めさせる位置決め部１２ｋを形成し、後端垂下壁１２ｊの位置決め部１２ｋより左右方向内側に水の侵入を抑制させる空間を形成する侵入抑制部１２ｌを形成している。
前面カバー部材１２の位置決め部１２ｋと壁面固定部材６の背面側受け部６ｂの第２立下り部６ｉとの間には、水平方向に見て、比較的狭い幅Ｗ１の隙間空間を有する幅狭部１３が形成されている。
前面カバー部材１２の侵入抑制部１２ｌと第１立下り部６ｇとの間には、水平方向に見て、位置決め部１２ｋと第２立下り部６ｉとの間の幅Ｗ１よりも広い幅Ｗ２の水侵入抑制空間を有する幅広部１５が形成されている。この幅広部１５の水侵入抑制空間が、比較的広い幅Ｗ２の空間を形成するので、毛細管現象による水の内部への浸入がしにくい比較的広い空間が形成されており、矢印Ａに示すような、毛細管現象による水の内部への浸入の流れの発生を抑制するようになっている。
従って、水が壁面４に沿って、前面カバー部材１２及び壁面固定部材６の嵌合している状態において、前面カバー部材１２と壁面固定部材６との間に形成された隙間に達した場合にも、侵入抑制部１２ｌが、防水性リモコン装置１内部への水の浸入を抑制し、より高い防水性を有するようになっている。このとき、位置決め部１２ｋ付近で毛細管現象が発生して外部から水が浸入した場合であっても進入抑制部１２ｌよりも防水性リモコン装置１内部への水の浸入を防止するために、進入抑制部１２ｌは位置決め部１２ｋよりも防水性リモコン装置１の内側の隙間空間を形成するように設けることが好ましい。
防水性リモコン装置１がパブリックトイレで使用されるとき、防水性リモコン装置１が頻繁にトイレブースの清掃作業が行われ濡れることも多く、またパブリック環境において使用者も多いため何らかの要因で濡れるような場合にも比較的高い防水性により自身内部への水の浸入を抑制できることが、防水性リモコン装置１の洗浄開始機能を維持する上で有用となっている。
【００２８】
次に、図１乃至図７を参照して、本発明の第１実施形態による防水性リモコン装置における前面カバー部材を壁面固定部材に取付ける取付け動作について説明する。
防水性リモコン装置１を最初に設置する施工工事の際に、壁面固定部材６が、公衆トイレなどの、パブリックトイレ空間、各種洗浄装置の設置空間、トイレブース３等の壁面４に固定されている。
次に、防水性リモコン装置１の施工工事をする者、防水性リモコン装置１の設置をする者、防水性リモコン装置１をメンテナンス管理する者等（本発明において「施工者」という用語の意義には、最初の施工工事者の他、最初の施工工事後に、清掃、調整、工事等のさまざまな目的で、前面カバー部材１２を壁面固定部材６に取付け又は取外し等する者を広義に含んでいる）は、前面カバー部材１２を、トイレブース３等内の壁面４に固定されている壁面固定部材６に、壁面固定部材６を覆うように取付ける。
ここで、前面カバー部材１２は、予め制御ユニット８及び制御ユニット保護カバー１０が組み込まれて一体の部材に組み立てられている。
【００２９】
施工者は、前面カバー部材１２を、壁面固定部材６の上方から前方及び下方を覆うように、壁面固定部材６に取付ける。より具体的には、施工者は、前面カバー部材１２の頂面覆部１２ｂの後端垂下壁１２ｊを、上方から壁面固定部材６の背面側受け部６ｂに嵌合させ、さらに、前面カバー部材１２の前面覆部１２ａを壁面固定部材６の前方側を覆うように位置決めさせ、前面カバー部材１２の底面覆部１２ｃを壁面固定部材６の前出底面部６ｄの下面に合致させる。
施工者は、前面カバー部材１２を壁面固定部材６に取り付けた状態で、前面カバー部材１２の底面からネジ止めすることで、ネジ１４を目立たせないようにして防水性リモコン装置１の意匠性に優れさせ且つ１箇所のネジ止めで確実に固定し、両者を固定する。
このように、施工者は、前面カバー部材１２を、壁面固定部材６に取り付けると、前面カバー部材１２及び壁面固定部材６が一体化されて、防水性リモコン装置１が完成及び設置された状態となる。防水性リモコン装置１が設置された状態では、防水性リモコン装置１全体のトイレブース３内の壁面４からの前出寸法は、概ね前面カバー部材１２の前後方向の長さとなっており、従来の防水性リモコン装置を構成する前面ケース部材、壁面側ケース部材、及びリモコンケースハンガーのうち壁面側ケース部材を省略するように構成されているので、前面カバー部材１２を壁面固定部材６に取り付けた状態における防水性リモコン装置１の前出寸法が抑制されている。
【００３０】
次に、図１乃至図７を参照して、本発明の第１実施形態による防水性リモコン装置における前面カバー部材を壁面固定部材から取り外す取外し動作及びメンテナンス動作について説明する。
施工者は、前面カバー部材１２の底面覆部１２ｃからネジ１４を取外し、次いで前面カバー部材１２を壁面固定部材６の下方から前方及び上方に向かって取り外す。
施工者が、前面カバー部材１２を壁面固定部材６から取り外した状態では、施工者の手元に前面カバー部材１２及び前面カバー部材１２に取付けられている制御ユニット８等があり、トイレブース３内の壁面４には壁面固定部材６が固定されたままである。
施工者は、これら前面カバー部材１２及び前面カバー部材１２に取付けられている制御ユニット８等を手元で確認しながらメンテナンス（機器の不具合の調整や設定変更など）を簡単に行うことができ、さらに定期的に発生する電池交換についても、電池３２が前面カバー部材１２側に取付けられているので、施工者は、手元で電池３２の交換を容易に行うことが出来る。
【００３１】
次に、図１乃至図７を参照して、本発明の第１実施形態による防水性リモコン装置１における前面カバー部材１２を壁面固定部材６に取付けた状態において、便器を使用する使用者が防水性リモコン装置１を使用して便器洗浄を開始させる動作について説明する。
便器洗浄を行おうとする使用者が、防水性リモコン装置１の入力ユニット１６における赤外線を投光する投光部２２の前方且つ透光板２６の前方空間に手指をかざすと、入力ユニット１６の受光部２４は赤外線を受光し、入力ユニット１６を有する制御ユニット８は使用者の便器洗浄を行う意図を判断して、制御ユニット８の送信ユニット１８の電波送信装置３０によって便器洗浄装置２に洗浄開始命令を送信する。
便器洗浄装置２の制御部（図示せず）は、洗浄開始命令を受信すると、便器洗浄装置２の便器洗浄動作を開始させる。
【００３２】
次に、上述した本発明の第１実施形態による防水性リモコン装置の効果を説明する。
上述した本発明の第１実施形態による防水性リモコン装置によれば、前面カバー部材１２が壁面固定部材６と嵌合して防水構造を形成する防水性リモコン装置１を完成させ、壁面固定部材６が、従来の後側防水ケース部材とリモコンハンガとを一体化した機能を有し、従来の下防水ケース部材を省略するように構成されているので、前面カバー部材１２を壁面固定部材６に取付けた状態における防水性リモコン装置１の前出寸法を抑制することができ、使用者が壁面４から前出する防水性リモコン装置１により怪我をする危険性を抑制して、使用者の使い勝手を向上することができる。
例えば、また、前面カバー部材１２は、制御ユニット８を自身に取り付けた状態で壁面固定部材６に着脱自在に取付けられるので、前面カバー部材１２及びこれに取り付けられた制御ユニット８を壁面固定部材６から取り外すことによって、制御ユニット８が手元側に来ることになり、施工者が簡単にメンテナンスを行うことができ、施工者の使い勝手を向上することができる。
【００３３】
さらに、第１実施形態による防水性リモコン装置によれば、制御ユニット保護カバー１０が制御ユニット８を保護することができ、前面カバー部材１２及びこれに取り付けられた制御ユニット８を壁面固定部材６から取り外すことによって、制御ユニット８が手元側に来る場合に、使用者及び施工者が、制御ユニット８を誤操作すること、及び不注意で制御ユニット８の例えば基板２０に触れること及び水滴を飛散させ付着させることによる故障を生じさせることを防ぎ、適切なメンテナンス作業を行うことができ、使用者及び施工者の使い勝手を向上することができる。
【００３４】
さらに、第１実施形態による防水性リモコン装置によれば、前面カバー部材１２が、制御ユニット８を自身に取り付けた状態で壁面固定部材６に着脱自在に取付けられるので、前面カバー部材１２及びこれに取り付けられた制御ユニット８を壁面固定部材６から取り外すことによって、電池３２を備えた制御ユニット８が手元側に来ることになり、使用者及び施工者が簡単に電池３２の交換を行うことができ、使用者及び施工者の使い勝手を向上することができる。
【００３５】
さらに、第１実施形態による防水性リモコン装置によれば、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００３６】
さらに、第１実施形態による防水性リモコン装置によれば、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００３７】
さらに、第１実施形態による防水性リモコン装置によれば、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置１自身、前面カバー部材１２及び前面カバー部材１２によりカバーされている内部部品等の盗難を抑制することができる。
例えば、また、前面カバー部材１２がその底面覆部１２ｃのネジ固定部１２ｈからネジ止めされる場合は、その上面からネジ止めされる場合と比較してネジ止めが目立ちにくく、いたずら目的でネジ止めを解除される可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【００３８】
さらに、第１実施形態による防水性リモコン装置によれば、送信ユニット１８が電波送信装置３０であるので、送信ユニット１８が赤外線送信装置である場合と比べて、電波送信装置３０を備える制御ユニット８における消費電力を抑制することができ、制御ユニット８に電気を供給する電池の寿命を延ばすことができる。
また、例えば、入力ユニット１６に赤外線センサを採用する場合には、赤外線センサを利用することで防水性リモコン装置１に触れることなく便器洗浄を行うことが可能となるが、使用者が入力ユニット１６の投光部２２の前方に手をかざしている場合でも、電波送信装置３０が入力ユニット１６の上方に離間して配置されているので、使用者の手指等による電波の送信を妨げにくくなり、便器洗浄装置２に洗浄命令を安定して送信することができる。
【００３９】
次に、図８及び図１０により、本発明の第２実施形態による防水性リモコン装置１０１を説明する。第２実施形態は、本発明による押しボタン式スイッチの入力ユニット及び無線式の送信ユニットを備えた防水性リモコン装置の例である。
図８は、本発明の第２実施形態による押しボタン式スイッチの入力ユニット及び無線式の送信ユニットを備えた防水性リモコン装置を前方斜め上方から見た分解斜視図であり、図９は、本発明の第２実施形態による押しボタン式スイッチの入力ユニット及び無線式の送信ユニットを備えた防水性リモコン装置を後方斜め上方から見た分解斜視図であり、図１０は、本発明の第２実施形態による押しボタン式スイッチの入力ユニット及び無線式の送信ユニットを備えた防水性リモコン装置における押しボタン部、ラバー支持部及びタクトスイッチを防水性リモコン装置を完成した状態でこれらの上部部分を拡大して側面断面により示す、部分拡大側面断面図である。第２実施形態による防水性リモコン装置は、上述した第１実施形態による防水性リモコン装置と構造がほぼ同じであるため、ここでは、本発明の第２実施形態の第１実施形態とは異なる点のみを説明し、同様な部分については図面に同じ参照符号を付して説明を省略する。
【００４０】
図８及び図９に示すように、第２実施形態による防水性リモコン装置１０１は、便器洗浄装置２の設置されたトイレブース３内の壁面４に取付けられる壁面固定部材６と、この防水性リモコン装置１０１を制御する制御ユニット１０８と、制御ユニット１０８を保護する制御ユニット保護カバー１０と、使用者と相対する側の前面をカバーする前面カバー部材１２と、を備えている。
前面カバー部材１２は、使用者側の前面を覆う前面覆部１２ａと、壁面固定部材６の前出頂面部６ｃ及び背面側受け部６ｂを覆うようにほぼ水平方向に後方に張り出した頂面覆部１２ｂと、底面覆部１２ｃと、右側面覆部１２ｄと、左側面覆部１２ｅとを備え、前面覆部１２ａは、ほぼ長方形に形成され、前面覆部１２ａの中央近傍には、後述する入力ユニット１１６が取付けられる円形開口部１２ｆが形成されている。
【００４１】
制御ユニット１０８は、使用者の押しボタン操作の検出信号及び操作信号等の入力を受ける入力ユニット１１６と、便器洗浄装置２に洗浄開始命令を送信する送信ユニット１８と、入力ユニット１１６及び送信ユニット１８が接続されている基板１２０とを備えている。この基板１２０は、前面カバー部材１２の後面側空間内に挿入されて配置され、且つ入力ユニット１１６を支持するように設けられている。
入力ユニット１１６は、使用者の手指等により押される押しボタン部１３４と、この押しボタン部１３４が押された場合の押し圧力により使用者の押しボタン操作を検出して信号を発生させるタクトスイッチ１３６と、押しボタン部１３４とタクトスイッチ１３６との間に配置され、押しボタン部１３４の受ける荷重のうちタクトスイッチ１３６が受ける荷重を制御するようにタクトスイッチ１３６に一部の荷重を伝達し、それ以外の荷重を外側に逃がすような構造を有するように形成されたラバー支持部１２８と、を備えている。
【００４２】
次に、図１０により、本発明の第２実施形態による押しボタン式スイッチの防水性リモコン装置１０１における押しボタン部１３４、ラバー支持部１２８及びタクトスイッチ１３６の構造を詳細に説明する。
押しボタン部１３４は、使用者の手指等により押される荷重が直接かかる部分であり、パブリック環境（公衆トイレなどの環境）において防水性リモコン装置１０１が使用されることを想定しているので、強く押される或いは叩かれたりすることも想定され、例えば、成人男性が強く押した場合でも膨大な回数の使用回数に耐えることが要求されている。押しボタン部１３４は、その外周縁１３４ａが前面カバー部材１２の前面覆部１２ａに形成された円形開口部１２ｆの上方において、押しボタン部１３４と円形開口部１２ｆとの間に若干の隙間を形成するように位置決めされている。押しボタン部１３４が非常に大きな荷重を受ける場合には、押しボタン部１３４の外周縁１３４ａが円形開口部１２ｆに当接して、押しボタン部１３４が受ける荷重を前面カバー部材１２に逃がすようになっている。
タクトスイッチ１３６は、基板１２０上に配置され、且つ押しボタン部１３４及びラバー支持部１２８の中心とタクトスイッチ１３６の中心が一致するように配置されている。タクトスイッチ１３６は、ラバー支持部１２８側から自身の中央が押される荷重によりスイッチがＯＮ状態を検出するようになっている。ここで、タクトスイッチ１３６自身は、大きな力で何度もおされることを想定して設計されていない。よって、タクトスイッチ１３６が、押しボタン部１３４において想定されているような荷重を直接受ける場合には長期間にわたる使用に耐えられず故障、破損等する可能性がある。
【００４３】
ラバー支持部１２８は、ラバーにより弾性を有するように形成され、押しボタン部１３４の受ける荷重のうちタクトスイッチ１３６が受ける荷重と、それ以外の荷重とに、荷重を分散させるように逃がす構造を有している。ラバー支持部１２８は、外周形状が円形に形成され且つ中央近傍がほぼ円形の台状に前方に突出して形成されている。
ラバー支持部１２８は、中心近傍のタクトスイッチ１３６の上部に形成される中心部１２８ａと、その上面において押しボタン部１３４と当接する第１環状リブ１２８ｂと、第１環状リブ１２８ｂよりも外側に環状に形成され且つその上面において押しボタン部１３４と当接する第２環状リブ１２８ｃと、ラバー支持部１２８の厚みを比較的薄くしている薄肉部１２８ｄと、ラバー支持部１２８の厚みを比較的厚くしている厚肉部１２８ｅと、外縁に形成された外縁部１２８ｆとを備えている。
ラバー支持部１２８の中心部１２８ａは、この中心部１２８ａが下降する場合にタクトスイッチ１３６を押すようにタクトスイッチ１３６に対して荷重を伝達する部分である。
第１環状リブ１２８ｂは、中心部１２８ａの外周から上方に立ち上がる環状の部材であり、押しボタン部１３４を下方から支持している。
第２環状リブ１２８ｃは、薄肉部１２８ｄの外周から上方に立ち上がる環状の部材であり、押しボタン部１３４を下方から支持している。第１環状リブ１２８ｂのみで、押しボタン部１３４を支持すると押しボタン部１３４にがたつきが発生するので、第２環状リブ１２８ｃによって押しボタン部１３４をがたつきの発生を抑制するように安定して支持することができる。さらに、第２環状リブ１２８ｃは、第１環状リブ１２８ｂよりも外側に形成されているので、押しボタン部１３４から第２環状リブ１２８ｃに伝わる荷重が、外側に向かって伝達しやすくなっており、外側に荷重を逃がす役割も有している。
薄肉部１２８ｄは、第１環状リブ１２８ｂと第２環状リブ１２８ｃとの間において、外側に向かって環状に広がるように形成され、且つ自身のラバーの厚みが厚肉部１２８ｅよりも薄く形成されている。
厚肉部１２８ｅは、第２環状リブ１２８ｃの外周から外側に張り出して延びた後垂下して基板上に設置される外縁部１２８ｆに接続される部分であり、自身のラバーの厚みが薄肉部１２８ｄよりも厚く形成されている。
外縁部１２８ｆは、ラバー支持部１２８の環状の外縁を形成し、この外縁部１２８ｆは、前面カバー部材１２と制御ユニット８の基板２０との間に設置され、ラバー支持部１２８の受ける荷重のうち一部を外縁部１２８ｆから基板２０に伝達するように設けられている。
【００４４】
次に、図１０を参照して、本発明の第２実施形態による防水性リモコン装置１０１におけるラバー支持部１２８が荷重を受ける場合の動作について説明する。
使用者が押しボタン部１３４を押す荷重を発生させると、押しボタン部１３４が基板１２０方向に押されて第１環状リブ１２８ｂ及び第２環状リブ１２８ｃが基板１２０方向に荷重を受ける。先ず、第１環状リブ１２８ｂが基板１２０に向かって押されるように移動し、中心部１２８ａが基板１２０方向に押されてタクトスイッチ１３６を押してＯＮ状態にする。このとき、荷重の大きさが比較的小さいときにも薄肉部１２８ｄが撓んだ状態となっており、第１環状リブ１２８ｂから入力される荷重の大きさが増大してくる場合には薄肉部１２８ｄが撓みながら荷重を外側に逃がすことをできるようになっている。
ここで、仮に、第１環状リブ１２８ｂがタクトスイッチ１３６の中心から近すぎる位置に配置されると、使用者が押しボタン部１３４を押した荷重が、第１環状リブ１２８ｂ及び中心部１２８ａから、タクトスイッチ１３６にほぼ直接かかる状態となり、タクトスイッチ１３６を損傷等させる原因となる。
従って、第１環状リブ１２８ｂは、タクトスイッチ１３６の近傍においてタクトスイッチ１３６の外周よりやや外側の上方に形成され、第１環状リブ１２８ｂがタクトスイッチ１３６の中心から距離ｌ1離れて形成されているので、使用者が短いストローク且つ少ない荷重で押しボタン部１３４を押した場合にも第１環状リブ１２８ｂ及び中心部１２８ａを基板１２０方向に移動でき、タクトスイッチ１３６を押してＯＮ状態にすることができ、さらに、使用者が押しボタン部１３４を押した荷重が、第１環状リブ１２８ｂ及び中心部１２８ａから、タクトスイッチ１３６にほぼ直接かかる状態とならないようにしている。
このとき、使用者が押しボタン部１３４を押した荷重は、第１環状リブ１２８ｂから薄肉部１２８ｄを介して第２環状リブ１２８ｃ及び厚肉部１２８ｅ等にも伝達されている。薄肉部１２８ｄの長さ、すなわち、第１環状リブ１２８ｂと第２環状リブ１２８ｃとの間の距離ｌ2が比較的離れているので、薄肉部１２８ｄが曲がりやすく（撓みやすく）形成され、第１環状リブ１２８ｂから第２環状リブ１２８ｃへ荷重を逃がして、結果として、第１環状リブ１２８ｂから中心部１２８ａを介してタクトスイッチ１３６にかかる荷重を減少させることができる。仮に、距離ｌ2が比較的近い（小さい）場合には、薄肉部１２８ｄが曲がりにくくなり、第１環状リブ１２８ｂから第２環状リブ１２８ｃへの荷重の伝達がされにくく、結果として、第１環状リブ１２８ｂから中心部１２８ａを介してタクトスイッチ１３６にかかる荷重が減少されずに、比較的大きな荷重がかかってしまうような状態となってしまう。
【００４５】
仮に、薄肉部１２８ｄの外側に第２環状リブ１２８ｃが形成されていない場合には、薄肉部１２８ｄが比較的大きく撓むことになり、第１環状リブ１２８ｂのみから受けた荷重が薄肉部１２８ｄを介して外側に伝達されにくくなり、使用者が押しボタン部１３４を押した荷重が、第１環状リブ１２８ｂ及び中心部１２８ａから、タクトスイッチ１３６にほぼ直接かかる状態となってしまう。
これに対し、本発明の薄肉部１２８ｄの外側に第２環状リブ１２８ｃが形成されている構成によって、第２環状リブ１２８ｄが押しボタン部１３４から受けた荷重が、第２環状リブ１２８ｃから厚肉部１２８ｅを介して外縁部１２８ｆに伝達され、外側に荷重が逃がされるようになっている。
仮に、薄肉部１２８ｄと厚肉部１２８ｅとを均等の厚さに形成すると、薄肉部１２８ｄと厚肉部１２８ｅとのそれぞれの長さに応じてしか荷重の分散をすることができない。
これに対し、本発明の薄肉部１２８ｄと厚肉部１２８ｅとは、異なる肉厚に形成され、薄肉部１２８ｄは比較的小さな弾性係数を有し、厚肉部１２８ｅは比較的大きな弾性係数を有し、このように肉厚に差をつけることで、荷重の伝達のされ方が異なり、薄肉部１２８ｄと厚肉部１２８ｅとで荷重を分散させる比率を変化させることができる。
【００４６】
このようなラバー支持部１２８の構造によって、使用者が押しボタン部１３４を押した荷重のうち、タクトスイッチ１３６をＯＮ状態にさせるのに必要な荷重が、第１環状リブ１２８ｂ及び中心部１２８ａから、タクトスイッチ１３６に伝達され、それ以上の比較的大きな荷重は、第１環状リブ１２８ｂから薄肉部１２８ｄを通って外側に伝達され及び/又は第２環状リブ１２８ｃから外側の厚肉部１２８ｅを通って外縁部１２８ｆに伝達され、外縁部１２８ｆから基板１２０等に伝わって荷重が逃がされることができる。
さらに、このようなラバー支持部１２８の構造によって、想定されたよりも非常に大きな荷重を受ける場合には、押しボタン部１３４からラバー支持部１２８に荷重が伝達されるのみならず、押しボタン部１３４の外周縁１３４ａが円形開口部１２ｆに当接して、押しボタン部１３４が受ける荷重を前面カバー部材１２にも逃がすので、押しボタン部１３４が受ける荷重がタクトスイッチ１３６に過剰に伝達されてタクトスイッチ１３６が損傷、故障等をすることを抑制することができる。
【００４７】
次に、上述した本発明の第２実施形態による防水性リモコン装置の効果を説明する。
上述した本発明の第２実施形態による防水性リモコン装置１０１によれば、上述した本発明の第１実施形態による防水性リモコン装置１の効果と同様に、前面カバー部材１２を壁面固定部材６に取付けた状態における防水性リモコン装置１０１の前出寸法を抑制することができ、使用者が壁面４から前出する防水性リモコン装置１０１により怪我をする危険性を抑制して、使用者の使い勝手を向上することができる。
例えば、また、上述した本発明の第１実施形態による防水性リモコン装置１の効果と同様に、前面カバー部材１２は、制御ユニット１０８を自身に取り付けた状態で壁面固定部材６に着脱自在に取付けられるので、前面カバー部材１２及びこれに取り付けられた制御ユニット１０８を壁面固定部材６から取り外すことによって、制御ユニット１０８が手元側に来ることになり、施工者が簡単にメンテナンスを行うことができ、施工者の使い勝手を向上することができる。
【００４８】
さらに、第２実施形態による防水性リモコン装置１０１によれば、上述した本発明の第１実施形態による防水性リモコン装置１の効果と同様に、制御ユニット保護カバー１０が制御ユニット１０８を保護することができ、前面カバー部材１２及びこれに取り付けられた制御ユニット１０８を壁面固定部材６から取り外すことによって、制御ユニット１０８が手元側に来る場合に、使用者及び施工者が、制御ユニット１０８を誤操作すること、及び不注意で制御ユニット１０８の例えば基板１２０に触れること及び水滴を飛散させ付着させることによる故障を生じさせることを防ぎ、適切なメンテナンス作業を行うことができ、また、例えば、制御ユニット１０８をいたずらすることを防ぎ、使用者及び施工者の使い勝手を向上することができる。
【００４９】
さらに、第２実施形態による防水性リモコン装置１０１によれば、上述した本発明の第１実施形態による防水性リモコン装置１の効果と同様に、前面カバー部材１２及びこれに取り付けられた制御ユニット１０８を壁面固定部材６から取り外すことによって、電池３２を備えた制御ユニット１０８が手元側に来ることになり、使用者及び施工者が簡単に電池３２の交換を行うことができ、使用者及び施工者の使い勝手を向上することができる。
【００５０】
さらに、第２実施形態による防水性リモコン装置１０１によれば、上述した本発明の第１実施形態による防水性リモコン装置１の効果と同様に、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００５１】
さらに、第２実施形態による防水性リモコン装置１０１によれば、上述した本発明の第１実施形態による防水性リモコン装置１の効果と同様に、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００５２】
さらに、第２実施形態による防水性リモコン装置１０１によれば、上述した本発明の第１実施形態による防水性リモコン装置１の効果と同様に、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置１０１自身、前面カバー部材１２及び前面カバー部材１２によりカバーされている内部部品等の盗難を抑制することができる。
例えば、また、上述した本発明の第１実施形態による防水性リモコン装置１の効果と同様に、前面カバー部材１２がその底面覆部１２ｃのネジ固定部１２ｈからネジ止めされる場合は、その上面からネジ止めされる場合と比較してネジ止めが目立ちにくく、いたずらなどでネジ止めを解除されてしまう可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【００５３】
さらに、第２実施形態による防水性リモコン装置１０１によれば、上述した本発明の第１実施形態による防水性リモコン装置１の効果と同様に、送信ユニット１８が電波送信装置３０であるので、送信ユニット１８が赤外線送信装置である場合と比べて、電波送信装置３０を備える制御ユニット８における消費電力を抑制することができ、制御ユニット１０８に電気を供給する電池３２の寿命を延ばすことができる。
また、例えば、入力ユニット１６に押しボタン式スイッチを採用する場合には、使用者が押しボタン部１３４を前方側から手指等で押している場合でも、電波送信装置３０が入力ユニット１６の上方に離間して配置されているので、使用者の手指等による電波の送信を妨げにくくなり、便器洗浄装置２に洗浄命令を安定して送信することができる。
【００５４】
次に、図１１及び図１４により、本発明の第３実施形態による防水性リモコン装置２０１を説明する。
防水性リモコン装置は、パブリックの現場において、例えば、使用頻度が非常に高い場所に設置されるような場合には、電池交換などのメンテナンスの手間を極力減らすため、電源配線及び信号配線等を壁内から直接リモコン内まで配線するような有線式の配線を有する場合がある。本発明の第３実施形態は、本発明による手かざし式センサの入力ユニット及び有線式の送信ユニットを備えた防水性リモコン装置の例である。
図１１は、本発明の第３実施形態による手かざし式センサの入力ユニット及び有線式の送信ユニットを備えた防水性リモコン装置を前方斜め上方から見た分解斜視図であり、図１２は、本発明の第３実施形態による手かざし式センサの入力ユニット及び有線式の送信ユニットを備えた防水性リモコン装置を後方斜め上方から見た分解斜視図であり、図１３は、本発明の第３実施形態による手かざし式センサの入力ユニット及び有線式の送信ユニットを備えた防水性リモコン装置において、基板、制御ユニット保護カバー及び壁面固定部材を取り外した状態を後方斜め上方から見た斜視図であり、図１４は、本発明の第３実施形態による手かざし式センサの入力ユニット及び有線式の送信ユニットを備えた防水性リモコン装置において、基板、制御ユニット保護カバー及び壁面固定部材を取り外した状態を後方から見た背面図である。
第３実施形態による防水性リモコン装置は、上述した第１実施形態による防水性リモコン装置と構造がほぼ同じであるため、ここでは、本発明の第３実施形態の第１実施形態とは異なる点のみを説明し、同様な部分については図面に同じ参照符号を付して説明を省略する。
【００５５】
図１１及び図１２に示すように、第３実施形態による防水性リモコン装置２０１は、便器洗浄装置２の設置されたトイレブース３内の壁面４に取付けられる壁面固定部材６と、この防水性リモコン装置２０１を制御する制御ユニット２０８と、制御ユニット２０８を保護する制御ユニット保護カバー１０と、使用者と相対する側の前面をカバーする前面カバー部材１２と、を備えている。
【００５６】
制御ユニット２０８は、使用者の検出信号及び操作信号等の入力を受ける入力ユニット１６と、便器洗浄装置２に洗浄開始命令を送信する送信ユニット２１８と、入力ユニット１６及び送信ユニット２１８が接続されている基板２２０とを備えている。
送信ユニット２１８は、洗浄開始信号を有線信号配線により送信する有線信号送信装置２３０と、有線信号を送信できる信号配線部（ハーネス）２３８とを備えるが、この信号配線部２３８には、便器洗浄開始等の信号を送受信できる信号配線と、電気を外部電源（図示せず）から壁面４を通して防水性リモコン装置２０１内の制御ユニット２０８の基板２２０まで供給する電気配線とが含まれている。
第３実施形態による防水性リモコン装置２０１では、この有線信号送信装置２３０により発信された有線信号を便器洗浄装置２の受信装置（図示せず）で受信し、便器洗浄を行うようになっている。有線信号送信装置２３０には、外部電源からの電気が電気配線から提供されるので、電池の取替えの手間をなくすことができている。
【００５７】
図１１乃至図１４に示すように、前面カバー部材１２の後面側空間内に挿入されて取付けられている基板２２０には、信号配線部２３８の一端が、ハンダにより接続されている。このとき、コネクタなどによる接続ではなくハンダによる接続を行うことで接続部を省スペース化でき、全体として薄型化することが可能となる。この信号配線部２３８の他端は、防水性リモコン装置２０１の設置された壁面４の奥側に延び且つ壁面４の裏側から便器洗浄装置２又は外部電源等にそれぞれ接続されている。図１３及び図１４に示すように、この信号配線部２３８は、その基板２２０に接続される基板接続部２３８ａと、前面カバー部材１２の背面側に突出するように設置されたリブ２４０と円形部２４２との間に形成された幅狭経路部２４４を通る幅狭部２３８ｂと、防水性リモコン装置２０１の設置された壁面４の奥側に向かって延びる立ち上がり部２３８ｃとを有している。
この信号配線部２３８には、幅狭部２３８ｂの基板接続部２３８ａ側に、係止ロック部２４６が取付けられている。この係止ロック部２４６は、プラスチック製のバンドを巻いて止めた簡易な構造により形成され、且つ信号配線部に２３８に固定されている。
【００５８】
本発明の第３実施形態による有線式の送信ユニットを備えた防水性リモコン装置２０１においては、前面カバー部材１２を壁面固定部材６に取付ける場合及び/又は前面カバー部材１２を壁面固定部材６から取り外す場合に、信号配線部２３８が前面カバー部材１２に取り付けられている制御ユニット２０８まで有線で接続されているので、使用者が取り外した状態の前面カバー部材１２及び制御ユニット２０８等から壁面固定部材６及び壁面４まで線が延びた状態となる。
このような有線タイプの防水性リモコン装置２０１においては、施工の際に、信号配線部２３８を配線施工した後に、防水性リモコン装置２０１のスイッチ等の部品を取り付ける場合等があり、その際、施工者が防水性リモコン装置２０１を誤って落としてしまったりする場合に、前面カバー部材１２の自重により、信号配線部２３８が壁面４側から一気に引っ張られて、荷重が基板接続部２３８ａにかかり、基板接続部２３８ａを基板２２０に接続しているハンダが外れてしまう不都合があった。
従って、信号配線部２３８が一気に引っ張られるような場合にも、信号配線部２３８の基板接続部２３８ａに大きな荷重がかかることを抑制することが必要となる。
そこで、本発明の第３実施形態においては、信号配線部２３８には、幅狭部２３８ｂの基板接続部２３８ａ側に、係止ロック部２４６が固定され、信号配線部２３８が壁面４側から一気に引っ張られるような場合にも、信号配線部２３８に取り付けられた係止ロック部２４６が、前面カバー部材１２に形成されたリブ２４０と円形部２４２との間に形成された幅狭経路部２４４に引っかかり（及び/又はリブ２４０、円形部２４２等に引っかかり）、係止ロック部２４６が取り付けられた部分から基板接続部２３８ａ側の部分が、引張り荷重を受けて信号配線部２３８の基板接続部２３８ａを基板２２０に接続しているハンダが外れてしまうことを防ぐことが出来る。また、係止ロック部２４６が簡易な構造により形成されているので、本発明の第３実施形態によるような薄型の防水性リモコン装置２０１においても、信号配線部２３８の引張り荷重に強い係止ロック部２４６の構造を形成することができる。
【００５９】
次に、上述した本発明の第３実施形態による防水性リモコン装置２０１の効果を説明する。
上述した本発明の第３実施形態による防水性リモコン装置２０１によれば、上述した本発明の第１実施形態及び第２実施形態による防水性リモコン装置の効果と同様に、前面カバー部材１２を壁面固定部材６に取付けた状態における防水性リモコン装置２０１の前出寸法を抑制することができ、使用者が壁面４から前出する防水性リモコン装置２０１により怪我をする危険性を抑制して、使用者の使い勝手を向上することができる。
例えば、また、上述した本発明の第１実施形態及び第２実施形態による防水性リモコン装置の効果と同様に、前面カバー部材１２は、制御ユニット２０８を自身に取り付けた状態で壁面固定部材６に着脱自在に取付けられるので、前面カバー部材１２及びこれに取り付けられた制御ユニット２０８を壁面固定部材６から取り外すことによって、制御ユニット２０８が手元側に来ることになり、施工者等が簡単にメンテナンスを行うことができ、施工者の使い勝手を向上することができる。
【００６０】
さらに、第３実施形態による防水性リモコン装置２０１によれば、上述した本発明の第１実施形態及び第２実施形態による防水性リモコン装置の効果と同様に、制御ユニット保護カバー１０が制御ユニット２０８を保護することができ、前面カバー部材１２及びこれに取り付けられた制御ユニット２０８を壁面固定部材６から取り外すことによって、制御ユニット２０８が手元側に来る場合に、使用者及び施工者が、制御ユニット２０８を誤操作すること、及び不注意で制御ユニット２０８の例えば基板２２０に触れること及び水滴を飛散させ付着させることによる故障を生じさせることを防ぎ、適切なメンテナンス作業を行うことができ、また、例えば、制御ユニット２０８をいたずらすることを防ぎ、使用者及び施工者の使い勝手を向上することができる。
【００６１】
さらに、第３実施形態による防水性リモコン装置２０１によれば、上述した本発明の第１実施形態及び第２実施形態による防水性リモコン装置の効果と同様に、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００６２】
さらに、第３実施形態による防水性リモコン装置２０１によれば、上述した本発明の第１実施形態及び第２実施形態による防水性リモコン装置の効果と同様に、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００６３】
さらに、第３実施形態による防水性リモコン装置２０１によれば、上述した本発明の第１実施形態及び第２実施形態による防水性リモコン装置の効果と同様に、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置２０１自身、前面カバー部材１２及び前面カバー部材１２によりカバーされている内部部品等の盗難を抑制することができる。
例えば、また、上述した本発明の第１実施形態及び第２実施形態による防水性リモコン装置の効果と同様に、前面カバー部材１２がその底面覆部１２ｃのネジ固定部１２ｈからネジ止めされる場合は、その上面からネジ止めされる場合と比較してネジ止めが目立ちにくく、いたずらなどでネジ止めを解除されてしまう可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【００６４】
次に、図１５及び図１６により、本発明の第４実施形態による防水性リモコン装置３０１を説明する。
本発明の第４実施形態は、本発明による押しボタン式スイッチの入力ユニット及び有線式の送信ユニットを備えた防水性リモコン装置の例である。
図１５は、本発明の第４実施形態による押しボタン式スイッチの入力ユニット及び有線式の送信ユニットを備えた防水性リモコン装置を前方斜め上方から見た分解斜視図であり、図１６は、本発明の第４実施形態による押しボタン式スイッチの入力ユニット及び有線式の送信ユニットを備えた防水性リモコン装置を後方斜め上方から見た分解斜視図である。
第４実施形態による防水性リモコン装置は、上述した第１実施形態による防水性リモコン装置と全体構造がほぼ同じであり、さらに、第２実施形態による押しボタン式スイッチの入力ユニット及び第３実施形態による有線式の送信ユニットをそれぞれ採用しているため、ここでは、本発明の第４実施形態の第１実施形態の壁面固定部材及び前面カバー部材、第２実施形態の入力ユニット及び第３実施形態の送信ユニットとは異なる点のみを説明し、同様な部分については図面に同じ参照符号を付して説明を省略し、第１実施形態と同じ前面カバー部材を壁面固定部材に取付ける取付け動作、第２実施形態と同じ押しボタン式スイッチの入力ユニットの動作及び第３実施形態と同じ有線式の送信ユニットの動作等についても動作の説明を省略する。
【００６５】
図１５及び図１６に示すように、第４実施形態による防水性リモコン装置３０１は、便器洗浄装置２の設置されたトイレブース３内の壁面４に取付けられる壁面固定部材６と、この防水性リモコン装置３０１を制御する制御ユニット３０８と、制御ユニット３０８を保護する制御ユニット保護カバー１０と、使用者と相対する側の前面をカバーする前面カバー部材１２と、を備えている。
前面カバー部材１２は、使用者側の前面を覆う前面覆部１２ａと、壁面固定部材６の前出頂面部６ｃ及び背面側受け部６ｂを覆うようにほぼ水平方向に後方に張り出した頂面覆部１２ｂと、底面覆部１２ｃと、右側面覆部１２ｄと、左側面覆部１２ｅとを備え、前面覆部１２ａは、ほぼ長方形に形成され、前面覆部１２ａの中央近傍には、後述する入力ユニット１１６が取付けられる円形開口部１２ｆが形成されている。
【００６６】
制御ユニット３０８は、使用者の押しボタン操作の検出信号及び操作信号等の入力を受ける入力ユニット１１６と、便器洗浄装置２に洗浄開始命令を送信する送信ユニット２１８と、入力ユニット１１６及び送信ユニット２１８が接続されている基板３２０とを備えている。
【００６７】
入力ユニット１１６は、使用者の手指等により押される押しボタン部１３４と、この押しボタン部１３４が押された場合の押し圧力により使用者の押しボタン操作を検出して信号を発生させるタクトスイッチ１３６と、押しボタン部１３４とタクトスイッチ１３６との間に配置され、押しボタン部１３４の受ける荷重のうちタクトスイッチ１３６が受ける荷重を制御するようにタクトスイッチ１３６に一部の荷重を伝達し、それ以外の荷重を外側に逃がすような構造を有するように形成されたラバー支持部１２８と、を備えている。
【００６８】
送信ユニット２１８は、洗浄開始信号を有線信号配線により送信する有線信号送信装置２３０と、有線信号を送信できる信号配線部（ハーネス）２３８とを備えるが、この信号配線部２３８には、便器洗浄開始等の信号を送受信できる信号配線と、電気を外部電源（図示せず）から壁面４を通して防水性リモコン装置３０１内の制御ユニット３０８の基板３２０まで供給する電気配線とが含まれている。
第４実施形態による防水性リモコン装置３０１では、この有線信号送信装置２３０により発信された有線信号を便器洗浄装置２の受信装置（図示せず）で受信し、便器洗浄を行うようになっている。有線信号送信装置２３０には、外部電源からの電気が電気配線から提供されるので、電池の取替えの手間をなくすことができている。
【００６９】
図１５及び図１６に示すように、前面カバー部材１２の後面側空間内に挿入されて取付けられている基板３２０には、信号配線部２３８の一端が、ハンダにより接続され、この信号配線部２３８の他端は、防水性リモコン装置３０１の設置された壁面４の奥側に延び且つ壁面４の裏側から便器洗浄装置２又は外部電源等にそれぞれ接続されている。この信号配線部２３８には、係止ロック部２４６が所定の位置に取付けられている。この係止ロック部２４６は、プラスチック製のバンドを巻いて止めた簡易な構造により形成され、且つ信号配線部に２３８に固定されている。
【００７０】
次に、上述した本発明の第４実施形態による防水性リモコン装置３０１の効果を説明する。
上述した本発明の第４実施形態による防水性リモコン装置３０１によれば、上述した本発明の第１実施形態乃至第３実施形態による防水性リモコン装置の効果と同様に、前面カバー部材１２を壁面固定部材６に取付けた状態における防水性リモコン装置３０１の前出寸法を抑制することができ、使用者が壁面４から前出する防水性リモコン装置３０１により怪我をする危険性を抑制して、使用者の使い勝手を向上することができる。
例えば、また、上述した本発明の第１実施形態乃至第３実施形態による防水性リモコン装置の効果と同様に、前面カバー部材１２は、制御ユニット３０８を自身に取り付けた状態で壁面固定部材６に着脱自在に取付けられるので、前面カバー部材１２及びこれに取り付けられた制御ユニット３０８を壁面固定部材６から取り外すことによって、制御ユニット３０８が手元側に来ることになり、施工者等が簡単にメンテナンスを行うことができ、施工者の使い勝手を向上することができる。
【００７１】
さらに、第４実施形態による防水性リモコン装置３０１によれば、上述した本発明の第１実施形態乃至第３実施形態による防水性リモコン装置の効果と同様に、制御ユニット保護カバー１０が制御ユニット３０８を保護することができ、前面カバー部材１２及びこれに取り付けられた制御ユニット３０８を壁面固定部材６から取り外すことによって、制御ユニット３０８が手元側に来る場合に、使用者及び施工者が、制御ユニット３０８を誤操作すること、及び不注意で制御ユニット３０８の例えば基板３２０に触れること及び水滴を飛散させ付着させることによる故障を生じさせることを防ぎ、適切なメンテナンス作業を行うことができ、また、例えば、制御ユニット３０８をいたずらすることを防ぎ、使用者及び施工者の使い勝手を向上することができる。
【００７２】
さらに、第４実施形態による防水性リモコン装置３０１によれば、上述した本発明の第１実施形態乃至第３実施形態による防水性リモコン装置の効果と同様に、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００７３】
さらに、第４実施形態による防水性リモコン装置３０１によれば、上述した本発明の第１実施形態乃至第３実施形態による防水性リモコン装置の効果と同様に、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００７４】
さらに、第４実施形態による防水性リモコン装置３０１によれば、上述した本発明の第１実施形態乃至第３実施形態による防水性リモコン装置の効果と同様に、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置３０１自身、前面カバー部材１２及び前面カバー部材１２によりカバーされている内部部品等の盗難を抑制することができる。
例えば、また、上述した本発明の第１実施形態乃至第３実施形態による防水性リモコン装置の効果と同様に、前面カバー部材１２がその底面覆部１２ｃのネジ固定部１２ｈからネジ止めされる場合は、その上面からネジ止めされる場合と比較してネジ止めが目立ちにくく、いたずらなどでネジ止めを解除されてしまう可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【符号の説明】
【００７５】
１            防水性リモコン装置
２            便器洗浄装置
３            トイレブース
４            壁面
６            壁面固定部材
６ａ          壁面固定板部
６ｂ          背面側受け部
６ｃ          前出頂面部
８            制御ユニット
１０          制御ユニット保護カバー
１２          前面カバー部材
１２ａ        前面覆部
１２ｂ        頂面覆部
１２ｈ        ネジ固定部
１２ｉ        上面壁
１２ｊ        後端垂下壁
１２ｌ        侵入抑制部
１３          幅狭部
１４          ネジ
１５          幅広部
１６          入力ユニット
１８          送信ユニット
２０          基板
２２          投光部
２４          受光部
２６          透光板
２８          ラバー支持部
３０          電波送信装置
３２          電池
１０１        防水性リモコン装置
１０８        制御ユニット
１１６        入力ユニット
１２０        基板
１２８        ラバー支持部
１３４        ボタン部
１３６        タクトスイッチ
２０１        防水性リモコン装置
２０８        制御ユニット
２１８        送信ユニット
２２０        基板
２３０        有線信号送信装置
２３８        信号配線部
２４６        係止ロック部
３０１        防水性リモコン装置
３０８        制御ユニット
３２０        基板
Ａ            矢印
ｌ1           距離
ｌ2           距離
Ｗ１          幅
Ｗ２          幅
【図１】
2014070417.tif 000003
【図２】
2014070417.tif 000004
【図３】
2014070417.tif 000005
【図４】
2014070417.tif 000006
【図５】
2014070417.tif 000007
【図６】
2014070417.tif 000008
【図７】
2014070417.tif 000009
【図８】
2014070417.tif 000010
【図９】
2014070417.tif 000011
【図１０】
2014070417.tif 000012
【図１１】
2014070417.tif 000013
【図１２】
2014070417.tif 000014
【図１３】
2014070417.tif 000015
【図１４】
2014070417.tif 000016
【図１５】
2014070417.tif 000017
【図１６】
2014070417.tif 000018